(57)【要約】【課題】栽培管理情報を出力するために、ユーザーが栽培管理情報の入力操作を行う必要がない栽培管理方法を提供する。【解決手段】情報取得部が、栽培対象植物Ｐの品種を取得するステップと、情報取得部が、栽培対象植物Ｐの栽培管理情報が品種ごとに登録された栽培管理情報データベースから、取得された品種に基づいて抽出された栽培管理情報を取得するステップと、出力部が、取得された栽培管理情報を画像として出力するステップと、を実行する。【選択図】図１
2017163851.tif 000002
【特許請求の範囲】
【請求項１】
植物の栽培管理方法であって、
情報取得部が、栽培対象植物の品種を取得するステップと、
前記情報取得部が、前記栽培対象植物の栽培管理情報が前記品種ごとに登録された栽培管理情報データベースから、取得された前記品種に基づいて抽出された前記栽培管理情報を取得するステップと、
出力部が、取得された前記栽培管理情報を画像として出力するステップと、
を実行することを特徴とする栽培管理方法。
【請求項２】
前記栽培管理情報を出力するステップにおいて、前記出力部が、前記栽培管理情報の少なくとも一部を、コード化された画像として出力することを特徴とする請求項１に記載の栽培管理方法。
【請求項３】
前記栽培管理情報には、前記栽培対象植物に対する栽培作業と、前記栽培対象植物の栽培開始を基準として、前記栽培作業が行われるのに適した時期である作業適期と、が含まれ、
前記情報取得部が、前記栽培対象植物の栽培が開始される栽培開始日を取得するステップと、
予定時期算出部が、取得された前記栽培開始日と、抽出された前記栽培管理情報に含まれる前記作業適期とに基づいて、前記栽培作業が行われる作業予定時期を算出するステップと、
前記情報取得部が、抽出された前記栽培管理情報に含まれる前記栽培作業と、算出された前記作業予定時期と、を取得するステップと、
前記出力部が、取得された前記栽培作業と前記作業予定時期とを画像として出力するステップと、
をさらに実行することを特徴とする請求項１または２に記載の栽培管理方法。
【請求項４】
前記栽培管理情報には、前記栽培対象植物に対する栽培作業と、前記栽培対象植物の栽培開始を基準として、前記栽培作業が行われるのに適した時期である作業適期と、が含まれ、
前記情報取得部が、前記栽培対象植物の栽培が開始される栽培開始日を取得するステップと、
予定時期算出部が、取得された前記栽培開始日と、抽出された前記栽培管理情報に含まれる前記作業適期とに基づいて、前記栽培作業が行われる作業予定時期を算出するステップと、
通知時期設定部が、算出された前記作業予定時期に基づいて、通知時期を設定するステップと、
設定された前記通知時期が到来すると、前記出力部が、前記作業予定時期が到来または近づいたことを報知する作業アラームを出力するステップと、
をさらに実行することを特徴とする請求項１または２に記載の栽培管理方法。
【請求項５】
栽培履歴データベース登録部が、前記作業アラームが出力された前記栽培作業の実施状況を登録する操作に基づいて、前記実施状況を栽培履歴データベースに登録するステップ、
をさらに実行することを特徴とする請求項４に記載の栽培管理方法。
【請求項６】
前記情報取得部が、前記栽培対象植物が栽培される栽培場所の位置情報を取得するステップと、
前記出力部が、取得された前記位置情報に基づいて、前記栽培対象植物の前記栽培場所を示す栽培場所情報を、画像として出力するステップと、
をさらに実行することを特徴とする請求項１ないし４のいずれか一項に記載の栽培管理方法。
【請求項７】
気象情報データベース参照部が、前記栽培対象植物に対して対策を行う必要がある気象現象である要対策気象現象と、メッセージ情報と、が関連付けられて記憶された気象情報データベースから、気象情報提供装置によって提供された気象情報に前記要対策気象現象が含まれる場合に、前記要対策気象現象に基づいて、前記メッセージ情報を抽出するステップと、
前記出力部が、抽出された前記メッセージ情報を画像として出力するステップと、
をさらに実行することを特徴とする請求項１ないし５のいずれか一項に記載の栽培管理方法。
【請求項８】
前記情報取得部が、前記栽培対象植物の栽培が開始される栽培開始日を取得するステップと、
栽培管理情報データベース参照部が、前記品種と前記品種の栽培開始適期とが関連付けられて登録された前記栽培管理情報データベースから、取得された前記栽培開始日を基準として前記栽培開始適期にある前記品種を抽出するステップと、
前記出力部に含まれる表示部が、前記栽培開始適期にある前記品種を優先的に表示するステップと、をさらに実行し、
前記情報取得部が前記品種を取得するステップにおいて、前記情報取得部が、前記表示部に表示された前記品種の中から一の前記品種を選択する入力操作に基づいて、前記品種を取得することを特徴とする請求項１ないし７のいずれか一項に記載の栽培管理方法。
【請求項９】
前記出力部が前記栽培管理情報を出力するステップにおいて、前記出力部に含まれる印刷部が、前記栽培管理情報を印刷することを特徴とする請求項１ないし７のいずれか一項に記載の栽培管理方法。
【請求項１０】
栽培対象植物の品種を取得する情報取得部と、
前記栽培対象植物の栽培管理情報が前記品種ごとに登録された栽培管理情報データベースから、取得された前記品種に基づいて抽出された前記栽培管理情報を取得する情報取得部と、
取得された前記栽培管理情報を画像として出力する出力部と、
を備えたことを特徴とする栽培管理装置。
【発明の詳細な説明】
【技術分野】
【０００１】
本発明は、植物の栽培管理方法および栽培管理装置に関するものである。
【背景技術】
【０００２】
従来、草花や樹木の管理方法、葉や茎の模式図、花序に関する模式図、および時系列の育成状況などを表示した園芸用ラベルが知られている（特許文献１参照）。
【先行技術文献】
【特許文献】
【０００３】
【特許文献１】特開２０１１−０４５２６５号公報
【発明の概要】
【発明が解決しようとする課題】
【０００４】
本発明者は、以下の課題を見出した。
栽培対象植物に対する水遣りや追肥等に関する栽培管理情報を出力するために、ユーザーが栽培管理情報の入力操作を行っていたのでは、手間が掛かる。
【０００５】
本発明は、栽培管理情報を出力するために、ユーザーによる栽培管理情報の入力操作を軽減する栽培管理方法および栽培管理装置を提供することを課題としている。
【課題を解決するための手段】
【０００６】
本発明の栽培管理方法は、植物の栽培管理方法であって、情報取得部が、栽培対象植物の品種を取得するステップと、情報取得部が、栽培対象植物の栽培管理情報が品種ごとに登録された栽培管理情報データベースから、取得された品種に基づいて抽出された栽培管理情報を取得するステップと、出力部が、取得された栽培管理情報を画像として出力するステップと、を実行することを特徴とする。
【０００７】
本発明の栽培管理装置は、栽培対象植物の品種を取得する情報取得部と、栽培対象植物の栽培管理情報が品種ごとに登録された栽培管理情報データベースから、取得された品種に基づいて抽出された栽培管理情報を取得する情報取得部と、取得された栽培管理情報を画像として出力する出力部と、を備えたことを特徴とする。
【０００８】
この構成では、栽培対象植物の品種が取得されることにより、栽培管理情報データベースから栽培管理情報が抽出、取得され、栽培管理情報が画像として出力される。したがって、本構成によれば、栽培管理情報を出力するために、ユーザーによる栽培管理情報の入力操作を軽減することができる。
【０００９】
上記の栽培管理方法において、栽培管理情報を出力するステップにおいて、出力部が、栽培管理情報の少なくとも一部を、コード化された画像として出力することが好ましい。
【００１０】
この構成によれば、栽培管理情報の情報量が多い場合にも、画像として出力された栽培管理情報の面積が増えることを抑制することができる。
【００１１】
この場合、栽培管理情報には、栽培対象植物に対する栽培作業と、栽培対象植物の栽培開始を基準として、栽培作業が行われるのに適した時期である作業適期と、が含まれ、情報取得部が、栽培対象植物の栽培が開始される栽培開始日を取得するステップと、予定時期算出部が、取得された栽培開始日と、抽出された栽培管理情報に含まれる作業適期とに基づいて、栽培作業が行われる作業予定時期を算出するステップと、情報取得部が、抽出された栽培管理情報に含まれる栽培作業と、算出された作業予定時期と、を取得するステップと、出力部が、取得された栽培作業と作業予定時期とを画像として出力するステップと、をさらに実行することが好ましい。
【００１２】
この構成では、品種と栽培開始日とが取得されることにより、栽培作業と作業予定時期とが画像として出力される。このため、本構成によれば、ユーザーに栽培作業と作業予定時期とを把握させることができる。
【００１３】
この場合、栽培管理情報には、栽培対象植物に対する栽培作業と、栽培対象植物の栽培開始を基準として、栽培作業が行われるのに適した時期である作業適期と、が含まれ、情報取得部が、栽培対象植物の栽培が開始される栽培開始日を取得するステップと、予定時期算出部が、取得された栽培開始日と、抽出された栽培管理情報に含まれる作業適期とに基づいて、栽培作業が行われる作業予定時期を算出するステップと、通知時期設定部が、算出された作業予定時期に基づいて、通知時期を設定するステップと、設定された通知時期が到来すると、出力部が、作業予定時期が到来または近づいたことを報知する作業アラームを出力するステップと、をさらに実行することが好ましい。
【００１４】
この構成によれば、品種と栽培開始日とが取得されることにより、ユーザーが通知時期を設定するための操作を行わずとも通知時期が設定される。このため、本構成によれば、ユーザーに対し、作業予定時期に栽培作業を実施するように促すことができる。
【００１５】
この場合、栽培履歴データベース登録部が、作業アラームが出力された栽培作業の実施状況を登録する操作に基づいて、実施状況を栽培履歴データベースに登録するステップ、をさらに実行することが好ましい。
【００１６】
この構成では、栽培履歴データベースに栽培作業の実施状況が蓄積される。
【００１７】
この場合、情報取得部が、栽培対象植物が栽培される栽培場所の位置情報を取得するステップと、出力部が、取得された位置情報に基づいて、栽培対象植物の栽培場所を示す栽培場所情報を、画像として出力するステップと、をさらに実行することが好ましい。
【００１８】
この構成によれば、ユーザーに栽培対象植物の栽培場所を把握させることができる。
【００１９】
この場合、気象情報データベース参照部が、栽培対象植物に対して対策を行う必要がある気象現象である要対策気象現象と、メッセージ情報と、が関連付けられて記憶された気象情報データベースから、気象情報提供装置によって提供された気象情報に要対策気象現象が含まれる場合に、要対策気象現象に基づいて、メッセージ情報を抽出するステップと、出力部が、抽出されたメッセージ情報を画像として出力するステップと、をさらに実行することが好ましい。
【００２０】
この構成では、気象情報に要対策気象現象が含まれる場合に、メッセージ情報が画像として出力される。このため、本構成によれば、気象情報に要対策気象現象が含まれる場合に、必要な対策を行うようにユーザーに促すことができる。
【００２１】
この場合、情報取得部が、栽培対象植物の栽培が開始される栽培開始日を取得するステップと、栽培管理情報データベース参照部が、品種と品種の栽培開始適期とが関連付けられて登録された栽培管理情報データベースから、取得された栽培開始日を基準として栽培開始適期にある品種を抽出するステップと、出力部に含まれる表示部が、栽培開始適期にある品種を優先的に表示するステップと、をさらに実行し、情報取得部が品種を取得するステップにおいて、情報取得部が、表示部に表示された品種の中から一の品種を選択する入力操作に基づいて、品種を取得することが好ましい。
【００２２】
この構成では、栽培を開始する上で季節に合った品種が、表示部に優先的に表示される。このため、本構成によれば、表示部に表示された品種の中から、ユーザーが所望の品種を探す手間を軽減することができる。
【００２３】
この場合、出力部が栽培管理情報を出力するステップにおいて、出力部に含まれる印刷部が、栽培管理情報を印刷することが好ましい。
【図面の簡単な説明】
【００２４】
【図１】本発明の栽培管理方法を実行する栽培管理システムの一実施形態を示す図である。
【図２】栽培管理装置のハードウェア構成を示す図である。
【図３】栽培管理装置の機能構成を示す図である。
【図４】サーバーのハードウェア構成を示す図である。
【図５】サーバーの機能構成を示す図である。
【図６】栽培管理情報ＤＢに登録されている情報を示す図である。
【図７】栽培履歴ＤＢに登録されている情報を示す図である。
【図８】気象情報ＤＢに登録されている情報を示す図である。
【図９】栽培管理装置が表示するメインメニュー画面からの画面遷移の一例を示す図である。
【図１０】メインメニュー画面からの画面遷移の他の例を示す図である。
【図１１】メインメニュー画面からの画面遷移の他の例を示す図である。
【図１２】メインメニュー画面からの画面遷移の他の例を示す図である。
【図１３】栽培ラベルを作成する際の栽培管理システムにおける処理の流れを示すフローチャートである。
【図１４】図１３に続く処理の流れを示すフローチャートである。
【図１５】栽培ラベルに印刷されたコード化画像が読み取られた際の栽培管理システムにおける処理の流れを示すフローチャートである。
【図１６】作業ラベルを作成する際の栽培管理システムにおける処理の流れを示すフローチャートである。
【図１７】栽培地図を表示する際の栽培管理システムにおける処理の流れを示すフローチャートである。
【図１８】サーバーから栽培管理装置１に作業アラームが通知された際の画面表示を示す図である。
【図１９】作業アラームを表示する際の栽培管理システムにおける処理の流れを示すフローチャートである。
【図２０】気象対応メッセージを表示する際の栽培管理システムにおける処理の流れを示すフローチャートである。
【発明を実施するための形態】
【００２５】
以下、添付の図面を参照して、本発明に係る栽培管理方法を実行する栽培管理システムＳの一実施形態について説明する。
【００２６】
図１を参照して、栽培管理システムＳおよび栽培管理システムＳによって作成される栽培ラベルＬ１および作業ラベルＬ２について説明する。
【００２７】
栽培管理システムＳは、栽培管理装置１と、サーバー２とを備えている。栽培管理装置１とサーバー２とは、通信ネットワークＮＷを介して通信可能に接続されている。また、サーバー２は、通信ネットワークＮＷを介して、気象情報提供装置３と通信可能に接続されている。
【００２８】
栽培管理装置１は、ユーザーが利用する端末である。栽培管理装置１は、サーバー２との間で各種情報および各種要求を送受信する。栽培管理装置１は、サーバー２から受信した各種情報および各種要求に基づいて、印刷媒体に対して印刷を行い、栽培ラベルＬ１や作業ラベルＬ２を作成する。なお、印刷媒体としては、例えば、テープ、ロール紙、単票紙などが用いられる。
【００２９】
サーバー２は、後述する複数のデータベースを記憶している。サーバー２は、データベースから各種情報を抽出し、抽出した各種情報を栽培管理装置１に送信する。また、サーバー２は、栽培管理装置１から受信した各種情報を、データベースに登録する。
【００３０】
栽培ラベルＬ１には、栽培対象植物Ｐの品種と、識別ＩＤと、栽培開始日と、コード化された画像であるコード化画像Ｃとが印刷されている。識別ＩＤは、栽培対象植物Ｐに固有のＩＤであり、栽培ラベルＬ１が作成される度に発行される。コード化画像Ｃは、品種、識別ＩＤおよび栽培開始日に加え、栽培管理情報がコード化されたものである。栽培管理情報には、栽培対象植物Ｐを栽培・管理する上で有用な情報であり、栽培作業と、作業適期とが含まれる。栽培作業とは、栽培対象植物Ｐに対して行われる水遣り、追肥、植替え等の作業のことである。作業適期とは、栽培対象植物の栽培開始を基準として、栽培作業が行われるのに適した時期のことであり、例えば、「栽培開始から１０日後」、「栽培開始から３０日ないし４０日後」のように表される。コード化画像Ｃは、例えば、ＱＲコード（登録商標）である。栽培ラベルＬ１は、プラントマーカーＭに貼付される。栽培ラベルＬ１が貼付されたプラントマーカーＭは、いわゆる苗札として、栽培対象植物Ｐの近くの地面やプランター内の用土に差して用いられる。
【００３１】
作業ラベルＬ２には、栽培対象植物Ｐの品種と、栽培開始日と、栽培作業と、作業予定時期と、コード化画像Ｃとが表示される。作業予定時期とは、栽培対象植物Ｐに対して栽培作業が行われる予定の時期のことである。作業ラベルＬ２は、例えば、植物を栽培するユーザーが作業ラベルＬ２を携えて栽培対象植物Ｐのところへ行き、作業ラベルＬ２に表示された栽培作業をその栽培対象植物Ｐに対して行うために用いられる。作業ラベルＬ２は、表示された栽培作業が実施された後、栽培ラベルＬ１と共にプラントマーカーＭに貼付されてもよい。
【００３２】
気象情報提供装置３は、サーバー２からの要求に応じて気象情報を提供する。気象情報としては、例えば、気象庁が公表する気象情報や、栽培場所の近傍に設置された測定機器（例えば百葉箱）によって測定された気象情報が用いられる。
【００３３】
図２を参照して、栽培管理装置１のハードウェア構成について説明する。栽培管理装置１は、タッチパネル１１と、印刷ヘッド１２と、媒体送り機構１３と、カッター１４と、カメラ１０と、ＧＰＳ受信部１５と、ＣＰＵ１６（Central Processing Unit）と、ＲＡＭ１７（Random Access Memory）、ＲＯＭ１８（Read Only Memory）と、通信インターフェース１９とを備えている。
【００３４】
タッチパネル１１は、ディスプレイを有し、ディスプレイの画面内でタッチ等の操作が行われた場所を検出する。印刷ヘッド１２は、印刷媒体に対して印刷を行う。カメラ１０は、被写体を撮像する。媒体送り機構１３は、印刷媒体を送る。カッター１４は、印刷媒体がテープ等の長尺状である場合に、印刷媒体の印刷済み部分を切り離す。ＧＰＳ受信部１５は、ＧＰＳ（Global Positioning System）信号を受信する。ＣＰＵ１６は、各種演算処理を行う。ＲＡＭ１７は、ＣＰＵ１６が各種演算処理を行う際の作業領域として用いられる。ＲＯＭ１８は、ＣＰＵ１６が演算処理を行うために用いられる各種プログラムおよび各種データを記憶している。通信インターフェース１９は、通信ネットワークＮＷを介してデータの送受信を行う。
【００３５】
図３を参照して、栽培管理装置１の機能構成について説明する。栽培管理装置１は、表示部１０１と、操作部１０２と、印刷部１０３と、読取り部１０４と、装置側送受信部１０５と、情報取得部１０６とを備えている。表示部１０１および操作部１０２は、タッチパネル１１によって実現される。印刷部１０３は、印刷ヘッド１２、媒体送り機構１３およびカッター１４によって実現される。読取り部１０４は、カメラ１０によって実現される。装置側送受信部１０５は、通信インターフェース１９によって実現される。情報取得部１０６は、ＣＰＵ１６が、ＲＯＭ１８に記憶されている各種プログラムを、ＲＡＭ１７を用いて実行することにより、実現される。
【００３６】
表示部１０１は、各種画面を表示する。操作部１０２は、ユーザーからの各種操作を受け付ける。印刷部１０３は、印刷媒体に対して印刷を行う。読取り部１０４は、コード化画像Ｃに含まれる情報を読み取る。装置側送受信部１０５は、後述するサーバー側送受信部２０１との間で、各種情報および各種要求を送受信する。情報取得部１０６は、操作部１０２が受け付けた操作に基づいて、各種情報を取得し、また、装置側送受信部１０５により受信された各種情報を取得する。
【００３７】
図４を参照して、サーバー２のハードウェア構成について説明する。サーバー２は、一般的なコンピューターの構成を有し、ＣＰＵ２１と、ＲＡＭ２２と、ＲＯＭ２３と、データストレージ２４と、通信インターフェース２５とを備えている。データストレージ２４は、各種プログラムおよび各種データを格納する。データストレージ２４は、例えばハードディスクや不揮発性のメモリーである。
【００３８】
図５を参照して、サーバー２の機能構成について説明する。サーバー２は、サーバー側送受信部２０１と、識別ＩＤ発行部２０２と、予定時期算出部２０３と、通知時期設定部２０４と、栽培管理情報ＤＢ（データベース）参照部２０５と、栽培履歴ＤＢ登録部２０６と、栽培履歴ＤＢ参照部２０７と、気象情報ＤＢ参照部２０８と、記憶部２０９とを備えている。記憶部２０９には、栽培管理情報ＤＢ２１１と、栽培履歴ＤＢ２１２と、気象情報ＤＢ２１３とが構築されている。サーバー側送受信部２０１は、通信インターフェース２５によって実現される。識別ＩＤ発行部２０２、予定時期算出部２０３、通知時期設定部２０４、栽培管理情報ＤＢ参照部２０５、栽培履歴ＤＢ登録部２０６、栽培履歴ＤＢ参照部２０７および気象情報ＤＢ参照部２０８は、ＣＰＵ２１が、ＲＯＭ２３に記憶されている各種プログラムを、ＲＡＭ２２を用いて実行することにより、実現される。記憶部２０９は、データストレージ２４によって実現される。
【００３９】
サーバー側送受信部２０１は、装置側送受信部１０５との間で、各種情報および各種要求を送受信する。また、サーバー側送受信部２０１は、気象情報提供装置３との間で、各種情報および各種要求を送受信する。識別ＩＤ発行部２０２は、識別ＩＤを発行する。予定時期算出部２０３は、栽培開始日および作業適期に基づいて、作業予定時期を算出する。通知時期設定部２０４は、栽培管理装置１が作業アラームを表示する通知時期を、作業予定時期に基づいて設定する。作業アラームは、作業予定時期が到来または近づいたことを報知するものである。栽培管理情報ＤＢ参照部２０５は、栽培管理情報ＤＢ２１１を参照し、各種情報を抽出する。栽培履歴ＤＢ登録部２０６は、栽培履歴ＤＢ２１２に各種情報を登録する。栽培履歴ＤＢ参照部２０７は、栽培履歴ＤＢ２１２を参照し、各種情報を抽出する。気象情報ＤＢ参照部２０８は、気象情報ＤＢ２１３を参照し、各種情報を抽出する。
【００４０】
図６を参照して、栽培管理情報ＤＢ２１１について説明する。栽培管理情報ＤＢ２１１には、品種と、栽培開始適期と、栽培管理情報とが、互いに関連付けて登録されている。栽培開始適期とは、栽培対象植物Ｐの栽培を開始するのに適した時期のことである。なお、栽培開始適期として、苗を植え付けるのに適した時期と、種をまくのに適した時期とが、それぞれ記憶されてもよい。栽培管理情報には、上述したように、栽培作業と、作業適期とが含まれる。
【００４１】
図７を参照して、栽培履歴ＤＢ２１２について説明する。栽培履歴ＤＢ２１２には、識別ＩＤと、栽培開始日と、品種と、栽培作業と、栽培作業の実施状況と、作業予定時期と、通知時期と、位置情報とが、互いに関連付けて登録されている。栽培作業の実施状況は、栽培作業が実施されたか否かを示すものであり、栽培作業が実施されている場合は、「実施済」として、栽培作業が実施されていない場合は、「未実施」として登録される。位置情報は、栽培対象植物Ｐが栽培されている栽培場所の位置を示す情報であり、例えば緯度および経度によって表される。
【００４２】
図８を参照して、気象情報ＤＢ２１３について説明する。気象情報ＤＢには、要対策気象現象と、対象作物と、メッセージ情報とが、互いに関連付けて登録されている。要対策気象現象とは、例えば、「低温注意報」、「１週間の降水量が１ｍｍ以下」など、栽培対象植物Ｐに対して何らかの対策を行う必要がある気象現象のことである。対象作物とは、要対策気象現象が生じた場合に、対策が必要な品種のことである。例えば、要対策気象現象「低温注意報」に対しては、低温（霜）に対して弱い品種が、対象作物となる。メッセージ情報とは、要対策気象現象が生じた場合に、対象作物に対して特定の対策を行うように、具体的にユーザーに促すためのメッセージである。例えば、要対策気象現象「低温注意報」に対するメッセージ情報は、「低温注意報発令中。○○の保温対策を行ってください」である。
【００４３】
図９ないし図１２を参照して、栽培管理装置１の表示部１０１における画面遷移について説明する。図９に示すように、表示部１０１は、まず、メインメニュー画面Ｄ１を表示する。メインメニュー画面Ｄ１には、栽培ラベル作成ボタンＤ１１と、読取りボタンＤ１２と、作業ラベル作成ボタンＤ１３と、栽培場所表示ボタンＤ１４とが表示される。栽培ラベル作成ボタンＤ１１は、栽培ラベルＬ１を作成する場合に、タッチされる。読取りボタンＤ１２は、栽培ラベルＬ１に印刷されたコード化画像Ｃを読み取る場合や、栽培対象植物Ｐの位置情報を取得する場合に、タッチされる。作業ラベル作成ボタンＤ１３は、作業ラベルＬ２を作成する場合に、タッチされる。栽培場所表示ボタンＤ１４は、栽培対象植物Ｐの栽培場所を表示する場合に、タッチされる。
【００４４】
メインメニュー画面Ｄ１において、栽培ラベル作成ボタンＤ１１がタッチされると、表示部１０１は、栽培ラベル作成画面Ｄ２を表示する。栽培ラベル作成画面Ｄ２には、品種選択欄Ｄ２１と、識別ＩＤ表示欄Ｄ２２と、開始日選択欄Ｄ２３と、コード化選択欄Ｄ２４と、印刷ボタンＤ２５とが表示される。
【００４５】
品種選択欄Ｄ２１がタッチされると、表示部１０１は、品種選択画面Ｄ３を表示する。品種選択画面Ｄ３には、複数の品種が選択可能に表示される。ここで、品種選択画面Ｄ３には、栽培を開始する上で季節に合った品種、すなわち栽培開始日を基準として栽培開始適期にある品種が、優先的に表示される。具体的には、栽培開始日を基準として栽培開始適期にある品種が、品種選択画面Ｄ３を構成するページの上方に表示され、栽培開始日を基準として栽培開始適期にない品種が、品種選択画面Ｄ３を構成するページの下方に表示される。ページの下方部分は、品種選択画面Ｄ３をスクロールすることにより表示される。なお、品種選択画面Ｄ３において、各品種と共に各品種に関連する他の情報（例えば栽培開始適期）を表示してもよい。品種選択画面Ｄ３において品種が選択されると、栽培ラベル作成画面Ｄ２に戻り、選択された品種が品種選択欄Ｄ２１に表示される。なお、品種選択欄Ｄ２１には、品種選択画面Ｄ３において品種が選択される前に、例えば前回選択された品種が、デフォルトで表示されてもよい。
【００４６】
識別ＩＤ表示欄Ｄ２２には、サーバー２から発行された識別ＩＤが表示される。
【００４７】
開始日選択欄Ｄ２３がタッチされると、表示部１０１は、開始日選択画面Ｄ４を表示する。開始日選択画面Ｄ４には、複数の日付がカレンダー上で選択可能に表示される。開始日選択画面Ｄ４において栽培開始日が選択されると、栽培ラベル作成画面Ｄ２に戻り、選択された栽培開始日が開始日選択欄Ｄ２３に表示される。なお、開始日選択欄Ｄ２３には、開始日選択画面Ｄ４において栽培開始日が選択される前に、例えば現在の日付が、デフォルトで表示されてもよい。
【００４８】
コード化選択欄Ｄ２４には、コード化切替えスイッチＤ２４１が表示される。コード化切替えスイッチＤ２４１がタッチ（スライド）されることにより、コード化画像Ｃを印刷するか否かが切り替えられる。コード化切替えスイッチＤ２４１によりコード化画像Ｃを印刷しないように切り替えられた場合には、栽培ラベルＬ１に、コード化画像Ｃに代えて、栽培管理情報の文字画像が印刷される。
【００４９】
印刷ボタンＤ２５がタッチされると、栽培管理装置１の印刷部１０３が印刷を実行し、選択された品種および栽培開始日に対応した栽培ラベルＬ１を作成する。
【００５０】
図１０に示すように、メインメニュー画面Ｄ１において、読取りボタンＤ１２がタッチされると、表示部１０１は、読取り画面Ｄ５を表示する。読取り画面Ｄ５において、読取り部１０４により栽培ラベルＬ１に印刷されたコード化画像Ｃが読み取られると、表示部１０１は、読取り結果表示画面Ｄ６を表示する。
【００５１】
読取り結果表示画面Ｄ６には、結果表示欄Ｄ６１および位置情報ボタンＤ６２が表示される。結果表示欄Ｄ６１には、コード化画像Ｃから読み取られた品種、識別ＩＤ、栽培開始日および栽培管理情報が表示される。位置情報ボタンＤ６２がタッチされると、栽培対象植物Ｐの位置情報が栽培履歴ＤＢ２１２に登録される。読取り結果表示画面Ｄ６には、栽培対象植物Ｐの位置情報を栽培履歴ＤＢ２１２に登録した旨が表示される。
【００５２】
図１１に示すように、メインメニュー画面Ｄ１において、作業ラベル作成ボタンＤ１３がタッチされると、表示部１０１は、識別ＩＤ選択画面Ｄ７を表示する。識別ＩＤ選択画面Ｄ７には、栽培履歴ＤＢに登録されている識別ＩＤが、選択可能に表示される。識別ＩＤ選択画面Ｄ７において識別ＩＤが選択されると、表示部１０１は、選択ＩＤ表示画面Ｄ８を表示する。なお、識別ＩＤ選択画面において、各識別ＩＤと共に各識別ＩＤに関連する他の情報（例えば品種）を表示してもよい。
【００５３】
選択ＩＤ表示画面Ｄ８には、識別ＩＤ選択画面Ｄ７において選択された識別ＩＤと、印刷ボタンＤ８１とが表示される。印刷ボタンＤ８１がタッチされると、栽培管理装置１の印刷部１０３が印刷を実行し、選択された識別ＩＤに対応した作業ラベルＬ２を作成する。なお、印刷部１０３は、作業ラベルＬ２を、一の栽培作業ごとに作成してもよく、複数の栽培作業ごとに作成してもよい。
【００５４】
図１２に示すように、メインメニュー画面Ｄ１において、栽培場所表示ボタンＤ１４がタッチされると、表示部１０１は、栽培場所表示画面Ｄ９を表示する。栽培場所表示画面Ｄ９には、栽培対象植物Ｐの栽培場所を示す栽培地図が表示される。栽培地図上には、栽培対象植物Ｐの栽培場所を示す位置に、品種が表示される。なお、栽培場所表示画面Ｄ９において、栽培地図上に、品種に代えて、識別ＩＤを表示してもよい。また、栽培地図上の品種がタッチされると、その品種に関連する他の情報（例えば栽培管理情報）を表示してもよい。
【００５５】
図１３および図１４を参照して、栽培ラベルＬ１を作成する際の栽培管理システムＳにおける処理の流れについて説明する。メインメニュー画面Ｄ１において、栽培ラベル作成ボタンＤ１１がタッチされると（Ｓ１００）、装置側送受信部１０５が、サーバー２に対し、識別ＩＤの付与要求を送信する（Ｓ１０２）。サーバー側送受信部２０１が、栽培管理装置１から送信された識別ＩＤの付与要求を受信すると（Ｓ２００）、サーバー２の識別ＩＤ発行部２０２が、識別ＩＤを発行する（Ｓ２０２）。サーバー側送受信部２０１が、栽培管理装置１に対し、発行された識別ＩＤを送信する（Ｓ２０４）。装置側送受信部１０５が、サーバー２から送信された識別ＩＤを受信すると、栽培管理装置１の情報取得部１０６が、受信された識別ＩＤを取得する（Ｓ１０４）。栽培管理装置１の表示部１０１が、栽培ラベル作成画面Ｄ２を表示し、取得された識別ＩＤを識別ＩＤ表示欄Ｄ２２に表示する（Ｓ１０６）。
【００５６】
栽培ラベル作成画面Ｄ２において、開始日選択欄Ｄ２３がタッチされると（Ｓ１０８）、表示部１０１は、開始日選択画面Ｄ４を表示する（Ｓ１１０）。開始日選択画面Ｄ４において栽培開始日が選択されると（Ｓ１１２）、栽培管理装置１の情報取得部１０６が、開始日選択画面Ｄ４での選択操作に基づき、栽培開始日を取得する（Ｓ１１４）。選択された栽培開始日は、開始日選択欄Ｄ２３に表示される。
【００５７】
栽培ラベル作成画面Ｄ２において、品種選択欄Ｄ２１がタッチされると（Ｓ１１６）、装置側送受信部１０５が、サーバー２に対し、取得された栽培開始日を、品種の抽出要求と共に送信する（Ｓ１１８）。サーバー側送受信部２０１が、栽培管理装置１から送信された栽培開始日と、品種の抽出要求とを受信すると（Ｓ２０６）、サーバー２の栽培管理情報ＤＢ参照部２０５が、栽培管理情報ＤＢ２１１を参照し、受信した栽培開始日を基準として、栽培開始適期にある品種と栽培開始適期にない品種とを分けて抽出する（Ｓ２０８）。サーバー側送受信部２０１が、栽培管理装置１に対し、抽出された品種を送信する（Ｓ２１０）。装置側送受信部１０５が、サーバー２から送信された品種を受信すると（Ｓ１２０）、栽培管理装置１の表示部１０１が、受信された品種を品種選択画面Ｄ３に選択可能に表示する（Ｓ１２２）。ここで、品種選択画面Ｄ３には、受信された品種のうち、栽培開始適期にある品種が品種選択画面Ｄ３を構成するページの上方に、栽培開始適期にある品種が品種選択画面Ｄ３を構成するページの下方にくるように、表示される。
【００５８】
品種選択画面Ｄ３において品種が選択されると（Ｓ１２４）、栽培管理装置１の情報取得部１０６が、選択された品種を取得する（Ｓ１２６）。選択された品種は、品種選択欄Ｄ２１に表示される。そして、栽培ラベル作成画面Ｄ２において、印刷ボタンＤ２５がタッチされると（Ｓ１２８）、装置側送受信部１０５が、サーバー２に対し、取得された品種を、栽培管理情報の抽出要求と共に送信する（Ｓ１３０）。サーバー側送受信部２０１が、栽培管理装置１から送信された品種と栽培管理情報の抽出要求とを受信すると（Ｓ２１２）、サーバー２の栽培管理情報ＤＢ参照部２０５が、栽培管理情報ＤＢ２１１を参照し、受信された品種をキーとして栽培管理情報を抽出する（Ｓ２１４）。サーバー側送受信部２０１が、栽培管理装置１に対し、抽出された栽培管理情報を送信する（Ｓ２１６）。装置側送受信部１０５が、サーバー２から送信された栽培管理情報を受信すると、栽培管理装置１の情報取得部１０６が、受信された栽培管理情報を取得する（Ｓ１３２）。そして、栽培管理装置１の印刷部１０３が、情報取得部１０６により取得された識別ＩＤ、栽培開始日、品種および栽培管理情報に基づいて、栽培ラベルＬ１を印刷する（Ｓ１３４）。
【００５９】
サーバー側送受信部２０１により栽培管理情報が栽培管理装置１に送信された後、サーバー２の予定時期算出部２０３が、サーバー側送受信部２０１により受信された栽培開始日と、栽培管理情報ＤＢ２１１から抽出された栽培管理情報に含まれる作業適期とから、栽培作業の作業予定時期を算出する（Ｓ２１８）。例えば、栽培開始日が「５月２０日」であり、栽培作業「水遣り１回目」の作業適期が「栽培開始から１０日後」である場合、予定時期算出部２０３は、栽培作業「水遣り１回目」の作業予定時期を、「５月３０日」として算出する。また、栽培開始日が「５月２０日」であり、栽培作業「追肥１回目」の作業適期が「栽培開始から３０日〜４０日後」である場合、予定時期算出部２０３は、栽培作業「追肥１回目」の作業予定時期を、「６月１９日〜６月２９日」として算出する。
【００６０】
サーバー２の通知時期設定部２０４は、予定時期算出部２０３により算出された作業予定時期に基づいて、通知時期を設定する（Ｓ２２０）。通知時期設定部２０４は、通知時期を、作業予定時期と同じ日付に設定してもよく、作業予定時期よりも所定の日数前または後の日付に設定してもよい。そして、サーバー２の栽培履歴ＤＢ登録部２０６は、識別ＩＤ、栽培開始日、品種、栽培作業、作業予定時期および通知時期を、栽培履歴ＤＢ２１２に登録する（Ｓ２２２）。識別ＩＤは、識別ＩＤ発行部２０２により発行されたものである。栽培開始日および品種は、サーバー側送受信部２０１により受信されたものである。栽培作業は、栽培管理情報ＤＢ２１１から抽出された栽培管理情報に含まれていたものである。作業予定時期は、予定時期算出部２０３により算出されたものである。通知時期は、通知時期設定部２０４により設定されたものである。
【００６１】
図１５を参照して、栽培ラベルＬ１に印刷されたコード化画像Ｃが読み取られた際の栽培管理システムＳにおける処理の流れについて説明する。メインメニュー画面Ｄ１において、読取りボタンＤ１２がタッチされると（Ｓ１３６）、栽培管理装置１の表示部１０１が、読取り画面Ｄ５を表示する（Ｓ１３８）。栽培管理装置１の読取り部１０４が、コード化画像Ｃを読み取ると（Ｓ１４０）、表示部１０１が、読取り結果表示画面Ｄ６を表示する（Ｓ１４２）。読取り結果表示画面Ｄ６において、位置情報ボタンＤ６２がタッチされると（Ｓ１４４）、栽培管理装置１の情報取得部１０６が、栽培管理装置１のＧＰＳ受信部１５により受信されたＧＰＳ信号に基づいて、栽培対象植物Ｐの位置情報を取得する（Ｓ１４６）。装置側送受信部１０５が、サーバー２に対し、情報取得部１０６により取得された位置情報および読取り部１０４により読み取られた識別ＩＤを、位置情報の登録要求と共に送信する（Ｓ１４８）。サーバー側送受信部２０１が、位置情報および識別ＩＤと、位置情報の登録要求とを受信すると（Ｓ２２４）、サーバー２の栽培履歴ＤＢ登録部２０６が、識別ＩＤをキーとして、位置情報を栽培履歴ＤＢ２１２に登録する（Ｓ２２６）。栽培管理装置１の表示部１０１は、位置情報を栽培履歴ＤＢ２１２に登録した旨を表示する（Ｓ１５０）。
【００６２】
図１６を参照して、作業ラベルＬ２を作成する際の栽培管理システムＳにおける処理の流れについて説明する。メインメニュー画面Ｄ１において、作業ラベル作成ボタンＤ１３がタッチされると（Ｓ１５２）、装置側送受信部１０５は、サーバー２に対し、既登録ＩＤの抽出要求を送信する（Ｓ１５４）。サーバー側送受信部２０１が、栽培管理装置１から送信された既登録ＩＤの抽出要求を受信すると（Ｓ２２８）、栽培履歴ＤＢ参照部２０７が、栽培履歴ＤＢ２１２を参照し、識別ＩＤを抽出する（Ｓ２３０）。サーバー側送受信部２０１は、栽培管理装置１に対し、抽出した識別ＩＤを送信する（Ｓ２３２）。装置側送受信部１０５が、識別ＩＤを受信すると（Ｓ１５６）、表示部１０１が、受信した識別ＩＤを識別ＩＤ選択画面Ｄ７に選択可能に表示する（Ｓ１５８）。
【００６３】
識別ＩＤ選択画面Ｄ７において識別ＩＤが選択されると（Ｓ１６０）、表示部１０１が、選択ＩＤ表示画面Ｄ８を表示すると共に、栽培管理装置１の情報取得部１０６が、選択された識別ＩＤを取得する（Ｓ１６２）。選択ＩＤ表示画面Ｄ８において、印刷ボタンＤ８１がタッチされると（Ｓ１６４）、装置側送受信部１０５が、サーバー２に対し、取得された識別ＩＤと、栽培履歴の抽出要求とを送信する（Ｓ１６６）。
【００６４】
サーバー側送受信部２０１が、栽培管理装置１から送信された識別ＩＤと栽培履歴の抽出要求とを受信すると（Ｓ２３４）、サーバー２の栽培履歴ＤＢ参照部２０７が、栽培履歴ＤＢ２１２を参照し、受信された識別ＩＤをキーとして、品種、栽培開始日、栽培作業および作業予定時期を抽出する（Ｓ２３６）。サーバー側送受信部２０１は、栽培履歴ＤＢ２１２から抽出された品種、栽培開始日、栽培作業および作業予定時期を栽培管理装置１に送信する（Ｓ２３８）。
【００６５】
装置側送受信部１０５が、品種、栽培開始日、栽培作業および作業予定時期を受信すると、情報取得部１０６が、受信された品種、栽培開始日、栽培作業および作業予定時期を取得する（Ｓ１６８）。そして、栽培管理装置１の印刷部１０３は、情報取得部１０６により取得された品種、栽培開始日、栽培作業および作業予定時期に基づいて、作業ラベルＬ２を印刷する（Ｓ１７０）。
【００６６】
図１７を参照して、栽培地図を表示する際の栽培管理システムＳにおける処理の流れについて説明する。メインメニュー画面Ｄ１において栽培場所表示ボタンＤ１４がタッチされると（Ｓ１７２）、装置側送受信部１０５が、サーバー２に対し、位置情報の抽出要求を送信する（Ｓ１７４）。サーバー側送受信部２０１が、栽培管理装置１から送信された位置情報の抽出要求を受信すると（Ｓ２４０）、栽培履歴ＤＢ参照部２０７が、栽培履歴ＤＢ２１２を参照し、品種および位置情報を抽出する（Ｓ２４２）。サーバー側送受信部２０１が、抽出された品種および位置情報を、記憶部２０９に記憶されている地図情報と共に栽培管理装置１に送信する（Ｓ２４４）。なお、地図情報は、例えば、ＧＩＳ（Geographic Information System）データである。
【００６７】
装置側送受信部１０５が、サーバー２から送信された品種、位置情報および地図情報を受信すると、栽培管理装置１の情報取得部１０６が、受信された品種、位置情報および地図情報を取得する（Ｓ１７６）。表示部１０１が、取得された品種、位置情報および地図情報に基づいて、栽培地図を栽培場所表示画面Ｄ９に表示する（Ｓ１７８）。
【００６８】
図１８を参照して、サーバー２から栽培管理装置１に作業アラームが通知された際の画面表示について説明する。上述した栽培履歴ＤＢ２１２に登録された通知時期が到来すると、表示部１０１は、作業アラーム画面Ｄ１０を表示する。作業アラーム画面Ｄ１０には、作業アラーム表示欄Ｄ１０１と、実施済ボタンＤ１０２と、未実施ボタンＤ１０３とが表示される。作業アラーム表示欄Ｄ１０１には、作業アラームが表示される。例えば、栽培履歴ＤＢ２１２に、識別ＩＤ「０００１」、品種「トマト」、栽培作業「水遣り１回目」、作業予定時期「５月３０日」および通知時期「５月３０日」が登録されている場合に、５月３０日になると、作業アラーム表示欄Ｄ１０１には、作業アラームとして、「識別ＩＤ：０００１、品種：トマト、栽培作業：水遣り１回目、作業予定時期：５月３０日」が表示される。
【００６９】
実施済ボタンＤ１０２がタッチされると、栽培履歴ＤＢ２１２に、作業アラームが通知された栽培作業の実施状況が、「実施済」として登録され、作業アラーム画面Ｄ１０にはその旨が表示される。未実施ボタンＤ１０３がタッチされると、栽培履歴ＤＢ２１２に、作業アラームが通知された栽培作業の実施状況が、「未実施」として登録され、作業アラーム画面Ｄ１０にはその旨が表示される。
【００７０】
図１９を参照して、作業アラームを表示する際の栽培管理システムＳにおける処理の流れについて説明する。通知時期が到来すると（Ｓ２４６）、サーバー２の栽培履歴ＤＢ参照部２０７が、栽培履歴ＤＢ２１２を参照し、その通知時期をキーとして、識別ＩＤ、栽培作業および作業予定時期を抽出する（Ｓ２４８）。サーバー側送受信部２０１が、栽培管理装置１に対し、栽培履歴ＤＢ２１２から抽出された識別ＩＤ、品種、栽培作業および作業予定時期と共に、作業アラーム表示要求を送信する（Ｓ２５０）。装置側送受信部１０５が、サーバー２から送信された、識別ＩＤ、品種、栽培作業および作業予定時期と作業アラーム表示要求とを受信すると（Ｓ１８０）、表示部１０１は、識別ＩＤ、品種、栽培作業および作業予定時期に基づいて、作業アラーム画面Ｄ１０を表示する（Ｓ１８２）。作業アラーム画面Ｄ１０において実施済ボタンＤ１０２がタッチされると（Ｓ１８４）、装置側送受信部１０５が、「実施済」の登録要求を送信する（Ｓ１８６）。サーバー側送受信部２０１が、「実施済」の登録要求を受信すると（Ｓ２５２）、栽培履歴ＤＢ登録部２０６が、作業アラームが通知された栽培作業の実施状況を「実施済」として登録する（Ｓ２５４）。表示部１０１は、作業アラームが通知された栽培作業の実施状況が、「実施済」として登録された旨を表示する（Ｓ１８８）。なお、ここでは説明を省略するが、栽培管理システムＳは、未実施ボタンＤ１０３がタッチされた場合にも、実施済ボタンＤ１０２がタッチされた場合と同様の処理を行う。
【００７１】
ところで、栽培管理システムＳは、気象情報提供装置３から提供された気象情報に応じて、栽培管理装置１が気象対応メッセージを表示する。例えば、気象情報提供装置３から提供された気象情報に、要対策気象現象である「低温注意報」が含まれる場合に、栽培管理装置１が、気象対応メッセージとして「低温注意報発令中。ナス、トマトの保温対策を行ってください」という表示をする。
【００７２】
図２０を参照して、気象対応メッセージを表示する際の栽培管理システムＳにおける処理の流れについて説明する。サーバー側送受信部２０１が、気象情報提供装置３から送信された気象情報を受信すると（Ｓ２５６）、サーバー２の気象情報ＤＢ参照部２０８が、気象情報ＤＢ２１３を参照し、気象情報に要対策気象現象が含まれる場合、その要対策気象現象をキーとして対象作物およびメッセージ情報を抽出する（Ｓ２５８）。サーバー２の栽培履歴ＤＢ参照部２０７が、栽培履歴ＤＢ２１２を参照し、気象情報ＤＢ２１３から抽出された対象作物に該当する品種を、栽培履歴ＤＢ２１２に登録されている品種から抽出する（Ｓ２６０）。サーバー側送受信部２０１は、栽培管理装置１に対し、気象情報ＤＢ２１３から抽出されたメッセージ情報と、栽培履歴ＤＢ２１２から抽出された品種とを、表示要求と共に送信する（Ｓ２６２）。
【００７３】
装置側送受信部１０５が、サーバー２から送信されたメッセージ情報、品種および表示要求を受信すると（Ｓ１９０）、栽培管理装置１の情報取得部１０６が、受信されたメッセージ情報および品種を取得する。表示部１０１が、取得されたメッセージ情報および品種に基づいて、気象対応メッセージを表示する（Ｓ１９２）。
【００７４】
以上のように、本実施形態の栽培管理システムＳが実行する栽培管理方法によれば、情報取得部１０６が、栽培対象植物Ｐの品種を取得し（Ｓ１２６）、情報取得部１０６が、取得された品種に基づいて栽培管理情報ＤＢ２１１から抽出された栽培管理情報を取得し（Ｓ１３２）、印刷部１０３が、取得された栽培管理情報を印刷する（Ｓ１３４）。
この構成では、品種が取得されることにより、栽培管理情報ＤＢ２１１から栽培管理情報が抽出、取得され、栽培管理情報が印刷される。したがって、本構成によれば、栽培管理情報を印刷するために、ユーザーが栽培管理情報の入力操作を行う必要がない。そして、ユーザーは、栽培管理情報が印刷された栽培ラベルＬ１をプラントマーカーＭに貼付することにより、いわゆる苗札を簡易に作成することができる。
【００７５】
本実施形態の栽培管理システムＳが実行する栽培管理方法によれば、印刷部１０３が、栽培管理情報を、コード化画像Ｃとして印刷する。
この構成によれば、栽培管理情報の情報量（文字数）が多い場合にも、印刷された栽培管理情報の印刷面積が増えることを抑制することができる。このため、コード化画像Ｃが印刷される栽培ラベルＬ１が貼付されるプラントマーカーＭの大きさとの関係で、栽培管理情報の印刷面積が制限される場合にも、栽培管理情報の情報量を削減することなく、栽培管理情報を栽培ラベルＬ１に印刷することが可能である。
【００７６】
本実施形態の栽培管理システムＳが実行する栽培管理方法によれば、栽培管理情報には、栽培作業と作業適期とが含まれる。そして、情報取得部１０６が、栽培対象植物Ｐの栽培開始日を取得し（Ｓ１１４）、予定時期算出部２０３が、取得された栽培開始日と、抽出された栽培管理情報に含まれる作業適期とに基づいて、作業予定時期を算出する（Ｓ２１８）。さらに、情報取得部１０６が、抽出された栽培管理情報に含まれる栽培作業と、算出された作業予定時期と、を取得し（Ｓ１６８）、印刷部１０３が、取得された栽培作業と作業予定時期とを印刷する（Ｓ１７０）。
この構成では、品種と栽培開始日とが取得されることにより、栽培作業と作業予定時期とが印刷される。このため、本構成によれば、ユーザーに栽培作業と作業予定時期とを把握させることができる。
【００７７】
本実施形態の栽培管理システムＳが実行する栽培管理方法によれば、栽培管理情報には、栽培作業と作業適期とが含まれる。そして、情報取得部１０６が、栽培対象植物Ｐの栽培開始日を取得し（Ｓ１１４）、予定時期算出部２０３が、取得された栽培開始日と、抽出された栽培管理情報に含まれる作業適期とに基づいて、作業予定時期を算出する（Ｓ２１８）。さらに、通知時期設定部２０４が、算出された作業予定時期に基づいて、通知時期を設定し（Ｓ２２０）、設定された通知時期が到来すると（Ｓ２４６）、表示部１０１が、作業アラームを表示する（Ｓ１８２）。
この構成によれば、ユーザーが通知時期を設定するための操作を行わずとも、品種と栽培開始日とが取得されることにより、通知時期が設定される。このため、本構成によれば、ユーザーに対し、作業予定時期に栽培作業を実施するように促すことができる。
【００７８】
本実施形態の栽培管理システムＳが実行する栽培管理方法によれば、栽培履歴ＤＢ登録部２０６が、実施済ボタンＤ１０２の操作（Ｓ１８４）に基づいて、作業アラームが表示された栽培作業の実施状況を栽培履歴ＤＢ２１２に登録する（Ｓ２５４）。
この構成では、栽培履歴ＤＢ２１２に栽培作業の実施状況が蓄積される。
【００７９】
本実施形態の栽培管理システムＳが実行する栽培管理方法によれば、情報取得部１０６、栽培対象植物Ｐが栽培される栽培場所の位置情報を取得し（Ｓ１４６）、表示部１０１が、取得された位置情報に基づいて、栽培地図を表示する（Ｓ１７８）。
この構成では、ユーザーに栽培対象植物Ｐの栽培場所を把握させることができる。このため、公園における栽培管理や街路樹の栽培管理など、広範囲に亘って植えられた栽培対象植物Ｐを管理する際に、特に有用である。
【００８０】
本実施形態の栽培管理システムＳが実行する栽培管理方法によれば、気象情報ＤＢ参照部２０８が、気象情報提供装置３によって提供された気象情報に要対策気象現象が含まれる場合に、その要対策気象現象に基づいて、気象情報ＤＢ２１３からメッセージ情報を抽出し（Ｓ２５８）、表示部１０１が、抽出されたメッセージ情報を表示する（Ｓ１９２）。
この構成では、気象情報に要対策気象現象が含まれる場合に、メッセージ情報が画像として出力される。このため、本構成によれば、気象情報に要対策気象現象が含まれる場合に、必要な対策を行うようにユーザーに促すことができる。
【００８１】
本実施形態の栽培管理システムＳが実行する栽培管理方法によれば、情報取得部１０６が、栽培開始日を取得し（Ｓ１１４）、栽培管理情報ＤＢ参照部２０５が、取得された栽培開始日を基準として栽培開始適期にある品種を、栽培管理情報ＤＢ２１１から抽出し（Ｓ２０８）、表示部１０１が、栽培開始適期にある品種を優先的に表示する（Ｓ１２２）。そして、情報取得部１０６が、表示部１０１に表示された品種の中から一の品種を選択する入力操作（Ｓ１２４）に基づいて、品種を取得する（Ｓ１２６）。
この構成では、栽培を開始する上で季節に合った品種が、表示部１０１に優先的に表示される。このため、本構成によれば、表示部１０１に表示された品種の中から、ユーザーが所望の品種を探す手間を軽減することができる。
【００８２】
本発明は上記した実施形態に限定されず、その趣旨を逸脱しない範囲で種々の構成を採用可能であることは言うまでもない。例えば、本実施形態は、以下のような形態に変更することができる。
【００８３】
印刷部１０３が栽培管理情報などを印刷して栽培ラベルＬ１を作成することに代えて、或いは栽培ラベルＬ１を作成することに加えて、表示部１０１が栽培管理情報などを表示してもよい。同様に、印刷部１０３が栽培作業および作用予定時期などを印刷して作業ラベルＬ２を作成することに代えて、或いは作業ラベルＬ２を作成することに加えて、表示部１０１が栽培作業および作用予定時期などを表示してもよい。なお、表示部１０１および印刷部１０３は、「出力部」の一例である。
【００８４】
また、表示部１０１が作業アラームを表示することに代えて、或いは作業アラームを表示することに加えて、印刷部１０３が作業アラームを印刷してもよい。同様に、表示部１０１が栽培地図を表示することに代えて、或いは栽培地図を表示することに加えて、印刷部１０３が栽培地図を印刷してもよい。同様に、表示部１０１が要対策気象現象に関するメッセージ情報を表示することに代えて、或いはメッセージ情報を表示することに加えて、印刷部１０３がメッセージ情報を印刷してもよい。
【００８５】
印刷部１０３は、栽培管理情報の一部のみを、コード化画像Ｃとして印刷してもよい。
【００８６】
栽培管理装置１を構成する機能部の一部が、サーバー２に備えられていてもよく、サーバー２以外の他の装置に備えられていてもよい。例えば、栽培管理システムＳは、栽培管理装置１に代えて、印刷部１０３を備えたプリンターと、印刷部１０３以外の機能部を備えたスマートデバイスとを備えていてもよい。同様に、サーバー２を構成する機能部の一部が、栽培管理装置１に備えられていてもよく、栽培管理装置１以外の他の装置に備えられていてもよい。さらには、単一の装置を、栽培管理装置１とサーバー２とから構成される栽培管理システムＳと同様に機能させてもよい。
【００８７】
栽培管理装置１は、ユーザーに対し、栽培ラベルＬ１を１年で交換する旨を印刷ないし表示することが好ましい。栽培対象植物Ｐの栽培年（樹齢）に応じて管理すべき事項が異なることから、栽培年に応じた情報を含んだ栽培ラベルＬ１を作成することで、的確な栽培管理を行うことができる。
【００８８】
栽培ラベルＬ１となる印刷媒体の材質は、太陽光の受光量によって変色するものが好ましい。これにより、太陽光の受光量を考慮した栽培管理が容易となる。なお、この場合、上記のように、栽培ラベルＬ１を１年で交換することが好ましい。定期的に交換することで、受光量の管理が容易になる。なお、数年以上に亘って栽培対象植物Ｐを栽培する場合、栽培ラベルＬ１を、品種が印刷された品種ラベルと、栽培管理情報が印刷された管理情報ラベルとに分けて作成してもよい。たとえば、品種ラベルには、アルミニウムやＰＥＴ（ポリエチレンテレフタレート）など耐光性に優れた素材を、管理情報ラベルには、受光量に応じて変色する素材を用いてもよい。また、印刷媒体の素材としては、二酸化炭素濃度、酸性度、温度などに応じて変化するものを用いてもよい。これにより、栽培環境中の二酸化炭素濃度などを確認することができる。また、プラントマーカーＭの材質は、土壌の水分量によって変色するものが好ましい。これにより、土壌の水分量を確認することができる。
【００８９】
栽培ラベルＬ１に印刷されたコード化画像Ｃが読み取られた場合に、栽培履歴ＤＢ参照部２０７が、読み取られた識別ＩＤをキーとして、未実施の栽培作業を抽出し、表示部１０１が、抽出された未実施の栽培作業を表示してもよい。これにより、栽培対象植物Ｐが栽培されている現場（栽培場所）において、未実施の栽培作業をユーザーに報知することができる。
【００９０】
情報取得部１０６は、位置情報を、ＧＰＳ受信部１５が受信したＧＰＳ信号に代えて、例えば表示部１０１により表示された地図上でユーザーが指定した座標に基づいて、取得してもよい。また、位置情報は、緯度・経度によって与えられるものに限らず、例えば、「Ａ区画」、「Ｂ区画」、「Ｃ区画」のように、栽培場所を特定できるものであればよい。この場合、栽培場所表示ボタンＤ１４がタッチされた場合に、栽培地図に代えて、「トマト（識別ＩＤ：０００１）、Ａ区画」「ナス（識別ＩＤ：０００２）、Ｂ区画」、「キュウリ（識別ＩＤ：０００３）、Ｃ区画」を栽培場所情報として表示してもよい。
【００９１】
情報取得部１０６は、識別ＩＤを、操作部１０２に対する入力操作に基づいて、取得してもよい。
【００９２】
栽培管理情報ＤＢに登録された栽培管理情報は、水遣りや追肥等に関する情報自体である必要はなく、例えば、水遣りや追肥等に関する情報が掲載されているＷｅｂサイトのＵＲＬ（Uniform  Resource  Locator）であってもよい。
【００９３】
栽培履歴ＤＢ２１２に品種と位置情報とを蓄積しておき、ある特定の場所に、過去にどの品種が植えられていたかを、表示部１０１が表示してもよい。このようにすれば、ユーザーが、ある特定の場所に、例えば連作障害を考慮してどの品種を植えるか決定する上で、過去に栽培されていた品種を把握することができ、便利である。
【００９４】
サーバー２は、気象情報提供装置３から気象情報を取得することに代えて、栽培管理装置１にユーザーが入力した気象情報を、栽培管理装置１から取得してもよい。
【符号の説明】
【００９５】
１…栽培管理装置、１０１…表示部、１０３…印刷部、１０６…情報取得部、２１１…栽培管理情報ＤＢ、２１２…栽培履歴ＤＢ、２１３…気象情報ＤＢ
【図１】
2017163851.tif 000003
【図２】
2017163851.tif 000004
【図３】
2017163851.tif 000005
【図４】
2017163851.tif 000006
【図５】
2017163851.tif 000007
【図６】
2017163851.tif 000008
【図７】
2017163851.tif 000009
【図８】
2017163851.tif 000010
【図９】
2017163851.tif 000011
【図１０】
2017163851.tif 000012
【図１１】
2017163851.tif 000013
【図１２】
2017163851.tif 000014
【図１３】
2017163851.tif 000015
【図１４】
2017163851.tif 000016
【図１５】
2017163851.tif 000017
【図１６】
2017163851.tif 000018
【図１７】
2017163851.tif 000019
【図１８】
2017163851.tif 000020
【図１９】
2017163851.tif 000021
【図２０】
2017163851.tif 000022